(57)【要約】【課題】利用者が購入した商品と関連する商品の広告を提供することにより、広告効果を高めることが可能な広告配信システムを提供する。【解決手段】広告配信システムにおいて、利用者が情報端末を使用してレシートから購買情報を読み取ると、情報端末前記レシートから読み取った購買情報をサーバに送信するとともに、レシートから読み取った購買情報に広告関連商品が含まれる場合に、当該広告関連商品に対応する広告対象品の広告を要求する広告要求をサーバに送信する。サーバは、情報端末から広告要求を受信し、購買情報データベースを参照して、広告要求に対応する広告情報を情報端末へ送信する。情報端末は、サーバから、広告要求に対応する広告対象品の広告情報を受信し、その広告情報を表示部に表示する。【選択図】図６
2017068571.tif 000002
【特許請求の範囲】
【請求項１】
サーバと情報端末とを備える広告配信システムであって、
前記サーバは、
複数の利用者による購買情報を記憶する購買情報データベースと、
前記情報端末から広告要求を受信し、前記購買情報データベースを参照して、前記広告要求に対応する広告情報を前記情報端末へ送信する広告送信手段と、を備え、
前記情報端末は、
広告関連商品と広告対象品とを関連付けた広告対象品情報を記憶する記憶部と、
レシートから購買情報を読み取る読取手段と、
前記レシートから読み取った購買情報を前記サーバに送信するとともに、前記レシートから読み取った購買情報に広告関連商品が含まれる場合に、当該広告関連商品に対応する広告対象品の広告を要求する広告要求を前記サーバに送信する購買情報送信手段と、
前記サーバから、前記広告要求に対応する広告情報を受信する広告受信手段と、
受信した広告情報を表示部に表示する表示手段と、
を備えることを特徴とする広告配信システム。
【請求項２】
前記広告送信手段は、前記広告対象品の最安値を含む広告情報を前記情報端末へ送信することを特徴とする請求項１に記載の広告配信システム。
【請求項３】
前記最安値は、現在と、過去の所定時期との間の期間における最安値であることを特徴とする請求項２に記載の広告配信システム。
【請求項４】
前記広告送信手段は、情報端末の利用者による利用頻度が高いと予測される広告対象店舗についての広告情報を前記情報端末へ送信することを特徴とする請求項１乃至３のいずれか一項に記載の広告配信システム。
【請求項５】
前記広告対象店舗は、前記情報端末の利用者の住所から所定距離内の店舗、又は、前記情報端末の利用者の利用頻度が所定値より高い店舗であることを特徴とする請求項４に記載の広告配信システム。
【請求項６】
前記広告対象品は、当該広告対象品に対応する広告関連商品の他社製品を含むことを特徴とする請求項１乃至５のいずれか一項に記載の広告配信システム。
【請求項７】
サーバと通信可能な情報端末であって、
広告関連商品と広告対象品とを関連付けた広告対象品情報を記憶する記憶部と、
レシートから購買情報を読み取る読取手段と、
前記レシートから読み取った購買情報を前記サーバに送信するとともに、前記レシートから読み取った購買情報に広告関連商品が含まれる場合に、当該広告関連商品に対応する広告対象品の広告を要求する広告要求を前記サーバに送信する購買情報送信手段と、
前記サーバから、前記広告要求に対応する広告情報を受信する広告受信手段と、
受信した広告情報を表示部に表示する表示手段と、
を備えることを特徴とする情報端末。
【請求項８】
サーバと通信可能な情報端末により実行されるプログラムであって、
広告関連商品と広告対象品とを関連付けた広告対象品情報を記憶する記憶部、
レシートから購買情報を読み取る読取手段、
前記レシートから読み取った購買情報を前記サーバに送信するとともに、前記レシートから読み取った購買情報に広告関連商品が含まれる場合に、当該広告関連商品に対応する広告対象品の広告を要求する広告要求を前記サーバに送信する購買情報送信手段、
前記サーバから、前記広告要求に対応する広告情報を受信する広告受信手段、
受信した広告情報を表示部に表示する表示手段、
として前記情報端末を機能させることを特徴とするプログラム。
【発明の詳細な説明】
【技術分野】
【０００１】
本発明は、インターネットを通じて広告を配信する手法に関する。
【背景技術】
【０００２】
インターネットを利用して、利用者の情報端末に商品の広告情報を提供する技術が知られている（例えば、特許文献１を参照）。
【先行技術文献】
【特許文献】
【０００３】
【特許文献１】特開２００３−１３１９７９号公報
【発明の概要】
【発明が解決しようとする課題】
【０００４】
一般的に、利用者が関心を持っているか否かがわからない商品の広告を提供するよりも、利用者が実際に購入した商品に関連する商品の広告を提供した方が、高い広告効果が得られる。
また、通常、利用者にお気に入りのブランドがある場合、単純にそれ以外のブランドの同種の商品を広告してもなかなか購入に結び付けることは難しい。一方で消費者は基本的に価格を基準に商品を選択する傾向があるため、より低価格で同程度の品質を持つ商品を広告すれば、その商品を購入してくれる期待は高まる。
【０００５】
本発明は、利用者が購入した商品と関連する商品の広告を提供することにより、広告効果を高めることが可能な広告配信システムを提供することを主な目的とする。
【課題を解決するための手段】
【０００６】
本発明の１つの観点は、サーバと情報端末とを備える広告配信システムであって、前記サーバは、複数の利用者による購買情報を記憶する購買情報データベースと、前記情報端末から広告要求を受信し、前記購買情報データベースを参照して、前記広告要求に対応する広告情報を前記情報端末へ送信する広告送信手段と、を備え、前記情報端末は、広告関連商品と広告対象品とを関連付けた広告対象品情報を記憶する記憶部と、レシートから購買情報を読み取る読取手段と、前記レシートから読み取った購買情報を前記サーバに送信するとともに、前記レシートから読み取った購買情報に広告関連商品が含まれる場合に、当該広告関連商品に対応する広告対象品の広告を要求する広告要求を前記サーバに送信する購買情報送信手段と、前記サーバから、前記広告要求に対応する広告情報を受信する広告受信手段と、受信した広告情報を表示部に表示する表示手段と、を備える。
【０００７】
上記の広告配信システムにおいて、利用者が情報端末を使用してレシートから購買情報を読み取ると、情報端末は前記レシートから読み取った購買情報をサーバに送信するとともに、レシートから読み取った購買情報に広告関連商品が含まれる場合に、当該広告関連商品に対応する広告対象品の広告を要求する広告要求をサーバに送信する。サーバは、情報端末から広告要求を受信し、購買情報データベースを参照して、広告要求に対応する広告情報を情報端末へ送信する。情報端末は、サーバから、広告要求に対応する広告情報を受信し、その広告情報を表示部に表示する。こうして、利用者が購入した商品に関連する広告情報が利用者の情報端末に配信される。
【０００８】
好適には、前記広告送信手段は、前記広告対象品の最安値を含む広告情報を前記情報端末へ送信する。ここで、前記最安値は、現在と、過去の所定時期との間の期間における最安値である。これにより、利用者は、購入した商品に関連する商品について最安値の広告を取得することができる。
【０００９】
上記の広告配信システムの一態様では、前記広告送信手段は、情報端末の利用者による利用頻度が高いと予測される広告対象店舗についての広告情報を前記情報端末へ送信する。これにより広告の効果を高めることが期待できる。好適には、前記広告対象店舗は、前記情報端末の利用者の住所から所定距離内の店舗、又は、前記情報端末の利用者の利用頻度が所定値より高い店舗である。
【００１０】
好適には、前記広告対象品は、対応する広告関連商品の他社製品を含む。これにより、利用者が購入した商品に対応する他社商品の広告を提供することができる。
【００１１】
本発明の他の観点では、サーバと通信可能な情報端末は、広告関連商品と広告対象品とを関連付けた広告対象品情報を記憶する記憶部と、レシートから購買情報を読み取る読取手段と、前記レシートから読み取った購買情報を前記サーバに送信するとともに、前記レシートから読み取った購買情報に広告関連商品が含まれる場合に、当該広告関連商品に対応する広告対象品の広告を要求する広告要求を前記サーバに送信する購買情報送信手段と、前記サーバから、前記広告要求に対応する広告情報を受信する広告受信手段と、受信した広告情報を表示部に表示する表示手段と、を備える。この情報端末により、利用者が購入した商品に関連する広告情報が利用者の情報端末に配信される。
【００１２】
本発明の他の観点では、サーバと通信可能な情報端末により実行されるプログラムは、広告関連商品と広告対象品とを関連付けた広告対象品情報を記憶する記憶部、レシートから購買情報を読み取る読取手段、前記レシートから読み取った購買情報を前記サーバに送信するとともに、前記レシートから読み取った購買情報に広告関連商品が含まれる場合に、当該広告関連商品に対応する広告対象品の広告を要求する広告要求を前記サーバに送信する購買情報送信手段、前記サーバから、前記広告要求に対応する広告情報を受信する広告受信手段、受信した広告情報を表示部に表示する表示手段、として前記情報端末を機能させる。このプログラムを情報端末で実行することにより、利用者が購入した商品に関連する広告情報が利用者の情報端末に配信される。
【図面の簡単な説明】
【００１３】
【図１】本発明の実施形態に係る広告配信システムの構成を示す。
【図２】情報端末の機能構成を示すブロック図である。
【図３】広告対象品情報の一例を示す。
【図４】サーバの機能構成を示すブロック図である。
【図５】購買情報ＤＢの記憶内容の例である。
【図６】実施形態に係る広告配信処理のフローチャートである。
【図７】レシートの読取作業を示す。
【図８】広告情報の表示例を示す。
【発明を実施するための形態】
【００１４】
以下、図面を参照しながら、本発明の実施の形態について説明する。
［構成］
図１は、本発明の実施形態に係る広告配信システムの構成を示す。広告配信システムは、利用者が利用する情報端末２０と、サーバ３０とを備える。なお、図１においては説明の便宜上１つの情報端末２０を図示しているが、実際には複数の利用者が自己の情報端末２０によりサーバ３０に接続して広告の配信を受ける。
【００１５】
情報端末２０は、典型的にはスマートフォンなどであり、ネットワーク５を通じてサーバ３０と通信する。ネットワーク５の典型的な例はインターネットである。情報端末２０はカメラなどを内蔵しており、利用者が店舗で商品を購入した際に発行されるレシート３の読取りを行い、レシートから抽出した購買情報をサーバ３０へ送信する。また、情報端末２０は、サーバ３０から広告情報を受信し、表示する。
【００１６】
サーバ３０は、レシート３から読み取られた購買情報を情報端末２０から受信し、内部のデータベースに記憶する。これにより、サーバ３０は、多数のユーザの購入履歴を蓄積している。また、サーバ３０は、利用者の情報端末２０に対して、ネットワーク５を通じて広告情報を配信する。
【００１７】
（情報端末）
図２は、情報端末２０の構成を示すブロック図である。情報端末２０は、通信部２１と、読取部２２と、表示部２３と、制御部２４と、入力部２５と、記憶部２６とを備える。通信部２１は、ネットワーク５を通じてサーバ３０と通信する。
【００１８】
読取部２２は、カメラ、ＯＣＲ機能などを含み、レシート３から購買情報を読み取る。購買情報は、レシートに記載されている情報であり、日時、レシートＩＤ、店舗名、商品名、価格などを含む。具体的には、情報端末２０は、カメラによりレシートの画像を撮影し、撮影画像に対してＯＣＲ処理を行って文字認識を行い、購買情報を抽出する。
【００１９】
表示部２３は、典型的には液晶ディスプレイである。利用者によるレシートの読取作業の際には、レシートの撮影画像や、レシートから抽出された購買情報などが表示部２３に表示される。また、表示部２３には、サーバ３０から送信された広告情報が表示される。
【００２０】
制御部２４は、記憶部２２に記憶されているプログラムを実行することにより、情報端末２０の各種の制御を行う。具体的には、制御部２４は、後述する広告配信処理を実行する。入力部２５は、典型的には表示部２３上に配置されたタッチパネルであり、ユーザによる入力を取得する。
【００２１】
記憶部２６は、ＲＯＭ、ＲＡＭなどのメモリにより構成され、制御部２４により実行される各種のプログラムが記憶される。また、記憶部２６は、情報端末２０における各種の処理を行う際に作業メモリとして機能する。具体的には、記憶部２２には、情報端末２０がレシート３から読み取った撮影画像や購買情報が一時的に保存される。
【００２２】
また、記憶部２６には、広告対象品情報が記憶される。図３は、広告対象品情報の一例を示す。広告対象品情報は、利用者が購入した商品に基づいて、どの商品の広告を提供するかを示す情報であり、具体的には広告関連商品と広告対象品とを対応付けした情報となっている。図３の例では、広告関連商品「おにぎり」、「他社のお茶」、「和風スイーツ」に対して広告対象品「お茶」が対応付けされている。よって、利用者が「おにぎり」、「他社のお茶」、「和風スイーツ」のいずれかを購入した場合には、「お茶」の広告が提供されることになる。
【００２３】
上記の構成において、制御部２４及び通信部２１は本発明の購買情報送信手段に相当し、通信部２１は本発明の広告受信手段に相当し、制御部２４は本発明の表示手段に相当する。
【００２４】
（サーバ）
図４は、サーバ３０の機能構成を示すブロック図である。サーバ３０は、通信部３１と、制御部３２と、記憶部３３と、購買情報データベース（以下、「データベース」を「ＤＢ」と記す。）３４と、利用者ＤＢ３５とを備える。通信部３１は、ネットワーク５を介して情報端末２０と通信する。制御部３２は、ＣＰＵなどを含んで構成され、サーバ３０全体を制御する。
【００２５】
記憶部３３は、ＲＯＭ、ＲＡＭなどのメモリにより構成され、制御部３２により実行される各種のプログラムが記憶される。また、記憶部３３は、サーバ３０における各種の処理を行う際に作業メモリとして機能する。また、記憶部２６にも前述の広告対象品情報が記憶される。
【００２６】
購買情報ＤＢ３４は、利用者がレシート３から読み取った購買情報を記憶する。図５（Ａ）は、購買情報ＤＢの記憶内容の例を示す。購買情報ＤＢ３４には、日時、利用者ＩＤ、レシートＩＤ、店舗、商品、価格などが対応付けて記憶されている。
【００２７】
利用者ＤＢ３５は、本実施形態による広告配信サービスについて利用者登録を行っている各利用者の情報を記憶している。図５（Ｂ）は、利用者ＤＢ３５の記憶内容の例を示す。利用者ＤＢ３５には、利用者毎に、利用者ＩＤ、年齢、性別、住所、広告対象店舗などが記憶されている。ここで、「広告対象店舗」とは、その利用者に対して提供すべき広告の店舗を特定する情報である。広告効果を高めるため、広告対象店舗は利用者が頻繁に利用すると推測される店舗とされる。具体的に広告対象店舗は、まず利用者の住所から所定距離以内に存在する店舗とされる。また、利用者が最近の一定期間内に所定回数以上利用している店舗が広告対象店舗に設定される。これにより、例えば勤務先に近い店舗など、利用者が実際に頻繁に利用する店舗が広告対象店舗に設定される。
【００２８】
上記の構成において、制御部３２及び通信部３１は本発明の広告送信手段に相当する。
【００２９】
［広告配信処理］
次に、広告配信システムにより実行される広告配信処理について説明する。広告配信処理は、利用者が購入した商品に含まれる広告関連商品に対応する広告対象品について、サーバ３０が広告情報を提供する処理であり、情報端末２０とサーバ３０とにより実行される。
【００３０】
図６は、広告配信処理のフローチャートである。まず、利用者は、店舗の商品購入時にもらったレシート３を情報端末２０で読み取り、情報端末２０は購買情報を取得する（ステップＳ１１）。図７（Ａ）はレシート３の例を示し、図７（Ｂ）は情報端末２０でレシート３を読み取った状態の例を示し、図７（Ｃ）は情報端末２０がＯＣＲ処理により購買情報を抽出して表示した状態の例を示す。
【００３１】
次に、情報端末２０は、記憶部２６に記憶されている広告対象品情報を参照し、購入された商品が広告関連商品を含むか否かを判定する（ステップＳ１２）。購入された商品が広告関連商品を含まない場合（ステップＳ１２：Ｎｏ）、情報端末２０は、購買情報のみをサーバ３０へ送信する（ステップＳ１３）。
【００３２】
一方、購入された商品が広告関連商品を含む場合（ステップＳ１２：Ｙｅｓ）、情報端末２０は広告要求を作成する（ステップＳ１４）。広告要求とは、広告関連商品に対応する広告対象品についての広告情報を要求する情報である。例えば、購入された商品に広告関連商品「おにぎり」が含まれる場合、情報端末２０は、当該広告関連商品「おにぎり」に対応する広告対象品についての広告を要求する広告要求を作成する。そして、情報端末２０は、広告要求と、ステップＳ１１で取得された購買情報とをサーバ３０へ送信する（ステップＳ１５）。
【００３３】
サーバ３０は、まず、ステップＳ１３又はＳ１５で情報端末２０から受信した購買情報を購買情報ＤＢ３４に記憶する（ステップＳ１６）。次に、サーバ３０は、情報端末２０から広告要求を受信したか否かを判定する（ステップＳ１７）。広告要求を受信していない場合（ステップＳ１７：Ｎｏ）、処理は終了する。この場合は広告の配信は行われない。
【００３４】
一方、広告要求を受信した場合（ステップＳ１７：Ｙｅｓ）、サーバ３０は、まず広告対象品情報を参照して、広告要求に含まれる広告関連商品に対応する広告対象品を特定するとともに、利用者ＤＢ３５を参照してその利用者の広告対象店舗を特定する（ステップＳ１８）。そして、サーバ３０は、購買情報ＤＢ３４を参照し、広告対象店舗のうち、その広告対象品を最安値で販売している店舗を特定し、その店舗及び広告対象品についての広告情報を作成して（ステップＳ１９）、情報端末２０へ送信する（ステップＳ２０）。
【００３５】
ここで、サーバ３０は、まず購買情報ＤＢ３４を参照して、まずその日の価格情報があれば、その日の最安値情報を用いて広告情報を作成する。また、その日の価格情報が無い場合、過去の所定日数（例えば数日〜１週間程度）以内の最安値情報を用いて広告情報を作成する。よって、その日の最安値情報があれば、広告情報はその日の最安値の店舗についての情報となり、その日の最安値情報がなければ、広告情報は過去における最安値の店舗についての情報となる。なお、サーバ３０は、過去の価格のうちの最高値をその商品の定価と判断することができる。
【００３６】
情報端末２０は、サーバ３０から受信した広告情報を表示部２３に表示する。図８は、広告情報の表示例を示す。この例では、利用者が購入した広告関連商品「おにぎり」に対応する広告対象品「お茶」について、利用者の広告対象店舗において、より安価での販売が行われていたことを示す情報となっている。
【００３７】
このように、本実施形態では、利用者が購入した商品に関連する広告対象品について、利用者が頻繁に利用すると予測される広告対象店舗におけるより安価な広告情報が提供されるので、より高い広告効果を期待することができる。
【００３８】
［変形例］
上記の実施形態では、サーバ３０も広告対象品情報を記憶しており、情報端末２０からの広告要求に含まれる広告関連商品に基づいて、サーバ３０が広告対象品情報を参照して広告対象品を特定している。その代わりに、情報端末２０が、広告対象品情報を参照して広告関連商品に対応する広告対象品を特定し、広告対象品を指定する広告要求を作成してサーバ３０へ送信することとしてもよい。この場合、サーバ３０は、広告要求に含まれる広告対象品について購買情報ＤＢ３４を検索すればよい。これにより、サーバ３０は、多数の利用者について広告対象品情報を記憶しておく必要がなくなる。
上記の実施形態では、サーバ３０の利用者ＤＢ３５に各利用者についての広告対象店舗が記憶されているが、その代わりに、利用者の情報端末２０にその利用者についての広告対象店舗の情報を記憶しておいてもよい。この場合、情報端末２０は、広告要求に広告対象店舗の情報を含めてサーバ３０へ送信する。サーバ３０は、広告要求に含まれる広告対象店舗を対象に、購買情報ＤＢ３４から広告対象品を検索すればよい。これにより、サーバ３０は多数の利用者について広告対象店舗の情報を記憶しておく必要が無くなる。
【符号の説明】
【００３９】
３  レシート
５  ネットワーク
２０  情報端末
３０  サーバ
３４  購買情報データベース
３５  利用者データベース
【図１】
2017068571.tif 000003
【図２】
2017068571.tif 000004
【図３】
2017068571.tif 000005
【図４】
2017068571.tif 000006
【図５】
2017068571.tif 000007
【図６】
2017068571.tif 000008
【図７】
2017068571.tif 000009
【図８】
2017068571.tif 000010